(57)【要約】    【課題】  電磁遮蔽用回路収容部材の取り付け手法を改善してメンテナンスを容易にする。    【解決手段】  エレキボックス８０を装置本体１０Ａに取り付ける際に、軸７０を中心に収納位置Ｌ１から開放位置Ｌ２の間で揺動できるようにする。エレキボックス８０は、典型的には、通常の使用状態等において収納位置Ｌ１に変椅され、メンテナンス等で装置本体１０Ａの内部にアクセスする必要がある場合には例えば開放位置Ｌ２まで退避させられる。そのエレキボックスサブユニット３００は退避が容易なように設置しなおされる。【選択図】  図１３
2006113274.tif 000002
【特許請求の範囲】
【請求項１】
回路ユニットを収容した電磁遮蔽用回路収容部材を、装置本体に、収納位置および開放位置の間を揺動可能に取り付け、上記電磁遮蔽用回路収容部材を上記収納位置から上記開放位置に退避させることにより、上記上記収納位置の電磁遮蔽用回路収容部材により外部からアクセスできない内部配置部品にアクセスできるようにしたことを特徴とする画像形成装置。
【請求項２】
上記回路ユニットと画像形成装置本体との間を接続する配線を上記電磁遮蔽用回路収容部材の揺動軸周囲を経由して引き回し、上記配線を上記回路ユニットから外すことなく揺動可能にした請求項１記載の画像形成装置。
【請求項３】
上記電磁遮蔽用回路収容部材は、第１の回路ユニットを収容した第１の電磁遮蔽用回路収容部材と第２の回路ユニットを収容した第２の電磁遮蔽用回路収容部材とを有し、上記第１の電磁遮蔽用回路収容部材を上記装置本体に揺動可能に取り付け、上記第２の電磁遮蔽用回路収容部材を上記第１の電磁遮蔽用回路収容部材に取り付けた請求項１または２記載の画像形成装置。
【請求項４】
上記第２の電磁遮蔽用回路収容部材を少なくとも２つの異なる態様で上記第１の電磁遮蔽用回路収容部材に取り付けるようにした請求項３記載の画像形成装置。
【請求項５】
上記異なる態様のうちの１つの態様では、上記第１の電磁遮蔽用回路収容部材および上記第２の電磁遮蔽用回路収容部材が構成する構成体の揺動半径が大きく、他の態様では、上記構成体の揺動半径が小さくなる請求項４記載の画像形成装置。
【請求項６】
上記１つの態様では、上記第１の電磁遮蔽用回路収容部材および上記第２の電磁遮蔽用回路収容部材が揺動軸のラジアル方向に並ぶように取り付けられ、上記他の態様では上記第１の電磁遮蔽用回路収容部材が上記揺動軸のラジアル方向に伸びるように配置され、上記第２の電磁遮蔽用回路収容部材が上記ラジアル方向に対して所定の角度をなすように配置される請求項５記載の画像形成装置。
【請求項７】
上記所定の角度は実質的に９０°である請求項６記載の画像形成装置。
【請求項８】
上記第１の電磁遮蔽用収容体および上記第２の電磁遮蔽用回路収容部材は、平坦な実質的に立方体形状の金属製の箱により形成される請求項３〜７のいずれかに記載の画像形成装置。
【請求項９】
上記第１の電磁遮蔽用回路収容部材および上記第２の電磁遮蔽用回路収容部材が近接した箇所に上記第１の回路ユニットおよび上記第２の回路ユニットの間の配線を媒介する中継媒体を設けた請求項３〜８のいずれかに記載の画像形成装置。
【請求項１０】
上記中継媒体は、中継基板、フレキシブルプリントケーブルおよび配線を含むグループから選択される請求項９記載の画像形成装置。
【請求項１１】
上記第１の回路ユニットおよび上記第２の回路ユニットの一方は、入力画像を画像処理する回路を含み、他方は、画像出力装置を制御する回路を含む請求項３〜１０のいずれかに記載の画像形成装置。
【発明の詳細な説明】
【技術分野】
【０００１】
この発明は、デジタル複写機やプリンタ等の画像形成装置に関し、とくに、制御基板を放射ノイズ遮蔽状態で実装した電磁遮蔽用回路収容部材（エレキボックスともいう）の取り付け手法の改良に関する。
【背景技術】
【０００２】
近年のデジタル複写機等の画像形成装置においては、典型的には、スキャナ部や外部出力装置（パソコン）等からの入力画像データを処理するサブシステムと、静電写真方式等の画像出力部を制御する画像出力制御部とを具備している。これらのサブシステムや画像出力制御部はデータの送受を行なうために近接して配置され、また、ともに電磁ノイズを放射するために、一体に単一の電磁ノイズ遮蔽用の金属製のボックスに収容され、かかる電磁遮蔽用回路収容部材（エレキボックスともいう）として画像形成装置本体に装着されていた。特許文献１や特許文献２はこのような画像形成装置の電磁遮蔽用回路収容部材（シールドシャーシ部、電装ケース）を開示している。なお、以下では、単に電磁遮蔽用回路収容部材またはエレキボックスという場合でも、内部回路を収容した電磁遮蔽用回路収容部材またはエレキボックスを指す場合もある。
【０００３】
ところで、かかるエレキボックスは、比較的大きな容積、面積を占めるので、エレキボックス周辺の部品を点検する上で支障となる。また、点検のためにエレキボックスを外してしまうとエレキボックス内の回路がディスエーブルとなるため、正常な点検が困難な場合もある。この場合、最終的には、エレキボックスを再装着して正常かどうかを点検する必要があり、最悪な場合には、エレキボックスの取り外し、再装着を繰り返すことになる。
【特許文献１】特開平９−２９２８１５号公報
【特許文献２】特開２００４−１７７６０２公報
【発明の開示】
【発明が解決しようとする課題】
【０００４】
この発明は、以上の事情を考慮してなされたものであり、電磁遮蔽用回路収容部材の取り付け態様を改善してメンテナンスを容易に行なえるようにすることを目的としている。
【課題を解決するための手段】
【０００５】
まず、原理的な構成例に従って、この発明を俯瞰しておく。
【０００６】
この発明の原理的な構成例によれば、上述の目的を達成するために、エレキボックスがその一端を中心に画像形成装置本体に対して開閉可能となるように、エレキボックスを画像形成装置に装着している。メンテナンス等でエレキボックスを収納位置から開放位置に揺動させて、エレキボックス内部に配置されていた部品にアクセスできる。
【０００７】
この場合、画像形成装置本体の各部品と接続された配線（ハーネス、ケーブル、コード等）をエレキボックスの回転軸側に引き回して、エレキボックスを揺動させても、配線をそのままの状態に維持できるようにすることが好ましい。
【０００８】
さらに、この発明を特許請求の範囲の記載を補充しつつ説明する。
【０００９】
この発明の一側面によれば、上述の目的を達成するために、画像形成装置において、回路ユニットを収容した電磁遮蔽用回路収容部材を、装置本体に、収納位置および開放位置の間を揺動可能に取り付け、上記電磁遮蔽用回路収容部材を上記収納位置から上記開放位置に退避させることにより、上記上記収納位置の電磁遮蔽用回路収容部材により外部からアクセスできない内部配置部品にアクセスできるようにしている。
【００１０】
この構成においては、電磁遮蔽用回路収容部を揺動させて、その奥にある部品等の点検を簡易に行なえる。
【００１１】
電磁遮蔽用回路収容部材は、典型的には、画像形成装置本体の周囲例えば背面、側面に配置される。もちろん前面に配置しても良い。当該収容部材は、他の部材、例えばカバー部材や他の電装品等と一対にされて揺動しても良い。
【００１２】
電磁遮蔽用回路収容部材を揺動させるには、カバーや他の部材を開放させなければならない場合もあるが、これに限定されない。また収納位置から開放位置に揺動させるときに、ロックを解除しなければならないようにしても良いが、これに限定されない。
【００１３】
揺動の軸は鉛直方向でもよいし、水平方向でも良い。もちろん垂直方向や水平方向に対して角度を持っていても良い。
【００１４】
電磁遮蔽用回路収容部材は、回路ユニットから放射される電磁ノイズを遮蔽するのに必要な範囲で回路ユニットを覆っていれば良く、ノイズの方向性によっては全方位を覆わなくてもよい。場合によっては、板状のものでもよい。また、外来ノイズから回路ユニットを遮蔽する場合にも適用がある。
【００１５】
上述構成においては、上記回路ユニットへ電源を供給する配線や信号を送受する配線を上記電磁遮蔽用回路収容部材の揺動軸周囲を経由して引き回すことが好ましい。
【００１６】
上記電磁遮蔽用回路収容部材は、典型的には、第１の回路ユニットを収容した第１の電磁遮蔽用回路収容部材と第２の回路ユニットを収容した第２の電磁遮蔽用回路収容部材とを有し、上記第１の電磁遮蔽用回路収容部材を上記装置本体に揺動可能に取り付け、上記第２の電磁遮蔽用回路収容部材を上記第１の電磁遮蔽用回路収容部材に取り付けるが、これに限定されない。
【００１７】
上記第２の電磁遮蔽用回路収容部材を少なくとも２つの異なる態様で上記第１の電磁遮蔽用回路収容部材に取り付けるようにすることが好ましい。この場合、上記異なる態様のうちの１つの態様では、上記第１の電磁遮蔽用回路収容部材および上記第２の電磁遮蔽用回路収容部材が構成する構成体の揺動半径が大きく、他の態様では、上記構成体の揺動半径が小さくなるようにすることが好ましい。
【００１８】
例えば、上記１つの態様では、上記第１の電磁遮蔽用回路収容部材および上記第２の電磁遮蔽用回路収容部材が揺動軸のラジアル方向に並ぶように取り付けられ、上記他の態様では上記第１の電磁遮蔽用回路収容部材が上記揺動軸のラジアル方向に伸びるように配置され、上記第２の電磁遮蔽用回路収容部材が上記ラジアル方向に対して所定の角度をなすように配置される。上記所定の角度は典型的には実質的に９０°である。
【００１９】
また、上記第１の電磁遮蔽用収容体および上記第２の電磁遮蔽用回路収容部材は、例えば、平坦な実質的に立方体形状の金属製の箱により形成される。
【００２０】
もちろん、電磁遮蔽が十分である場合には、板状の部材で開放状態で回路部を収容しても良い。
【００２１】
また、上記第１の電磁遮蔽用回路収容部材および上記第２の電磁遮蔽用回路収容部材は、それぞれの一端が近接した状態で実質的に同一平面上に配置されてもよい。
【００２２】
また、上記第１の電磁遮蔽用回路収容部材および上記第２の電磁遮蔽用回路収容部材が近接した箇所に上記第１の回路ユニットおよび上記第２の回路ユニットの間の配線を媒介する中継媒体を設けてもよい。中継媒体は、中継基板、フレキシブルプリントケーブル（ＦＰＣ）、配線等である。
【００２３】
また、上記第１の回路ユニットおよび上記第２の回路ユニットの一方は、典型的には、入力画像を画像処理する回路を含み、他方は、画像出力装置を制御する回路を含む。
【００２４】
この発明の上述の側面および他の側面は特許請求の範囲に記載され以下実施例を用いて詳述される。
【発明の効果】
【００２５】
この発明によれば、エレキボックスを装置本体に対して揺動可能に取り付けているので、メンテナンス作業が容易になる。
【発明を実施するための最良の形態】
【００２６】
以下、この発明の実施例について説明する。
【００２７】
図１は、この発明の実施例の画像形成装置の構成を模式的に示しており、図２は、この実施例の画像形成装置の外観をカバー等を外して示している。
【００２８】
図１において、画像形成装置１０は、画像入力部２０、画像処理回路ユニット（コントローラ基板ともいう）３０、画像出力装置制御回路ユニット（ＩＯＴ基板ともいう）４０、画像出力装置（ＩＯＴともいう。Ｉｍａｇｅ  Ｏｕｔｐｕｔ  Ｔｅｒｅｍｉｎａｌ）５０等を含んで構成されている。この実施例では、従来の画像形成装置と異なり、画像処理回路ユニット３０および画像出力装置制御回路ユニット４０をそれぞれ別の放射ノイズ遮蔽用金属板サブユニット（エレキボックスサブユニットともいう）３００および４００に別々に収納している。画像入力部２０は、典型的には、原稿読取装置（スキャナ）や外部出力装置（パソコン）であるが、これに限定されず、他の入力手段を単独でまたは併せて採用できる。画像処理回路ユニット３０は画像入力部２０から入力した画像データを処理する回路ユニットであるが、付加的に他の回路要素を含んでも良い。画像出力装置制御回路ユニット４０は、上述の画像処理回路ユニット３０からデータを受け取って、画像出力装置５０で画像出力を行なうための各種データ処理やプロセス制御を実行するものである。画像出力装置５０は、典型的には、電子写真方式の印刷媒体（例えば用紙）に画像を出力するものであり、図示しないが、感光体ドラム、帯電装置、露光装置、現像装置、転写装置、クリーニング装置、定着装置等を含んで構成されているが、これに限定されない。
【００２９】
画像形成装置１０の制御方法は、原稿読取装置や外部装置からの画像データの処理を先ず画像処理回路ユニット３０で行い、このデータを受け、画像出力装置制御回路ユニット４０にて画像出力装置５０に関して画像データや各画像形成プロセスの制御を行う流れとなっている。この時、画像処理回路ユニット３０から画像出力装置制御回路ユニット４０へ受け渡される画像データは、非常に高速な信号であるため、長い配線で接続することができず、隣接した状態で配置されなければならない。また、この両ユニット３０、４０は放射ノイズを発生させるため、金属板で遮蔽することを必要とする。そこで、放射ノイズ遮蔽用金属板（エレキボックスともいう）の構成を次のようにしている。
【００３０】
画像出力装置５０側のマシン制御及び画像制御を行う画像出力装置制御回路ユニット４０と原稿読取装置や外部装置からの画像データ処理を行う画像処理回路ユニット３０でエレキボックスを分割し、この分割されたエレキボックスサブユニット３００、４００を中継基板（バックプレーンボードともいう）６０で接続する。分割した各エレキボックスサブユニット３００、４００の組み合わせ方（位置、接続方法）により、各種のエレキボックスを形成させる。この構成により、異なるサイズ／構成である各種画像形成装置に対し共通のエレキボックスサブユニットを用いることができる。なお、ここでは、放射ノイズ遮蔽用金属板をエレキボックス、エレキボックスサブユニットということもあるし、当該金属板に回路ユニット（基板等の実装部品）を収容したものを一まとめにしてエレキボックス、エレキボックスサブユニットということもある。
【００３１】
具体的な基板及びエレキボックス構成（エレキボックスサブユニット３００、４００）を、図２以降の図面も参照してさらに説明する。
【００３２】
図２において、画像形成装置１０は、フレームに各種部品を取り付け、カバー１００（破線で示す）で覆って構成されている。例えば、図２の奥側（ｙ軸方向）が装置前面となっており、図示しない操作パネル等が設けられている。背面側にはエレキボックスサブユニット３００、４００が一体に取り付けられている。エレキボックスサブユニット３００、４００は、共通フレーム、ねじ等、任意の固定手段で相互に一体となるように結合されている。エレキボックスサブユニット３００、４００にはそれぞれ画像処理回路ユニット３０および画像出力装置制御回路ユニット４０をなす１枚または複数枚の基板３００Ａ、４００Ａが図３に示すように取り付けられている。より具体的には図４に示すように画像処理回路ユニット３０および画像出力装置制御回路ユニット４０を矢印で示すようにスライドさせて中継基板６０に結合させる（図５参照）。それぞれの結合はコネクタを用いて行なう。例えば、図７に示すように、画像処理回路ユニット３０の基板３００Ａにはコネクタ半体３０１が設けられ、このコネクタ半体３０１を図8に示すような状態まで中継基板６０のコネクタ半体６０１に嵌着していき、機械的結合および電気的な結合を行なう。画像出力装置制御回路ユニット４０も同様にしてコネクタ半体同士の嵌着により中継基板６０に結合される。画像処理回路ユニット３０および画像出力装置制御回路ユニット４０をそれぞれなす基板３００Ａ、４００Ａ（１枚の場合もあるし複数の場合もある。図９参照）のそれぞれの面は、中継基板６０の面と直交するように配置され、画像処理回路ユニット３０および画像出力装置制御回路ユニット４０をスライドさせてコネクタの嵌着が行なえる。なお、基板３００Ａ、４００Ａのうちの一部は、他の基板３００Ａ、４００Ａに結合される場合もあり、このような、中継基板６０に直接に結合されない一部の基板３００Ａ、４００Ａは、中継基板６０の面と直交する必要がないことは明らかである。
【００３３】
また、図６に示すように、画像処理回路ユニット３０にはドロワータイプの電源コネクタ半体３０３が設けられ、画像処理回路ユニット３０をエレキボックスサブユニット３００にスライドさせて収納するときに、エレキボックスサブユニット３００または４００に固定して取り付けられた他方の電源コネクタ半体３０４に嵌着される。当該電源コネクタ半体３０４には、例えば、エレキボックスサブユニット４００の外面に沿って引き回される電源コード３０５を介して例えば装置本体１０Ａの電源（図示しない）に接続されている。同様に、画像出力装置制御回路ユニット４０にドロワータイプの電源コネクタ半体を設けてもよい。このようにすることにより、エレキボックスサブユニット３００、４００内に電源ハーネスを引き回す必要がなく、取付作業が容易となる。
【００３４】
図９は、画像処理回路ユニット３０を主基板３０６、拡張基板３０７、３０８で構成し、画像出力装置制御回路ユニット４０を主基板４０１で構成した例を示す。画像処理回路ユニット３０の主基板３０６はコネクタ半体３０１Ａ、３０２Ａにより中継基板６０に結合され、拡張基板３０７はコネクタ半体３０１Ｂ、３０２Ｂにより中継基板６０に接続され、他方の拡張基板３０８はコネクタにより拡張基板３０７に結合されている。画像出力装置制御回路ユニット４０の主基板４０１はコネクタ半体４０２、６０２により中継基板６０に結合されている。なお、この例では中継基板６０は、エレキボックスサブユニット３００に固定して取り付けられているが、これに限定されない。
【００３５】
また、エレキボックスサブユニット３００、４００は、実質的に平坦な６面体（箱型）の形状をしており、全体として金属で形成されているが、ノイズを減衰するのに十分な範囲で、各種の切欠き、孔部を設けて良いことはもちろんである。また、画像処理回路ユニット３０および画像出力装置制御回路ユニット４０を中継基板６０にスライド嵌着させるための孔部が設けられていることはもちろんである。また、エレキボックスサブユニット３００、４００はそれぞれ一体成型される必要はなく、各種部材をねじ止め等により固定して製造できる。
【００３６】
この実施例では、これに限定されないが、画像出力装置制御回路ユニット４０を１種類用意し、他方で、画像処理回路ユニット３０を多品種用意して、複数種類の画像形成装置の製造に対処する。そして画像処理回路ユニット３０のサイズ等に応じて複数種類のエレキボックスサブユニット３００を準備する。このようにエレキボックスサブユニット３００の種類を増やすだけで多数の機種に対応できる。従来は、画像処理回路ユニット３０および画像出力装置制御回路ユニット４０を一体に収容する大型のエレキボックスを多品種用意しなければならなかったので、その製造、保管管理により製品のコストアップを招いたいたが、この実施例では、小型のエレキボックスサブユニット３００を複数種類用意し、あとは１種類のエレキボックスサブユニット４００を用意しておけば良いので、製造、管理等においてコストダウンが図れる。
【００３７】
なお、画像出力装置制御回路ユニット４０を複数種類用いる場合にも同様にコストダウンが図れる。
【００３８】
画像処理回路ユニット３０のエレキボックスサブユニット３００の種類がＮ個で、画像出力装置制御回路ユニット４０のエレキボックスサブユニット４００の個数がＭ個であると、（Ｎ＋Ｍ）種類のエレキボックスサブユニット３００、４００を準備するだけで良い。従来のように１つのエレキボックスで対応する場合には、基本的には、その種類数が（Ｎ×Ｍ）個となり、その大寸法と相まって製造、保管管理上、コストアップを招来していた。
【００３９】
なお、画像処理回路ユニット３０の構成の相違、または画像出力装置制御回路ユニット４０の構成の相違は、それに合致した中継基板６０を用意することにより対処する。例えば、図１０に示すように、画像出力装置制御回路ユニット４０または画像処理回路ユニット３０の基板３００Ａ、４００Ａのｘ軸方向の位置がずれている場合にはそれにあわせてコネクタ半体６０１の位置がずれている中継基板を用いれば良い。図１０では長さｄだけずれている。コネクタ数やコネクタの種類の相違もそれに適合した中継基板６０を採用して対処できる。
【００４０】
また、上述の構成により、複数機種を簡易に製造できるのみでなく、部品の交換、アップグレード（拡張機能の付加）等も簡易に行なえるようになる。
【００４１】
なお、図１１、図１２は、エレキボックスサブユニット３００、４００の外観および内部構成の詳細な具体例（基板３００Ａ、４００Ａ等）を参考までに示すものであるが、この発明はこれに限定されるものではない。
【００４２】
また、この実施例では、図１３に示すようにエレキボックスサブユニット３００、４００を軸７０を中心に収納位置Ｌ１から開放位置Ｌ２の間で揺動できるようになっている。なお、以下では、エレキボックスサブユニット３００、４００をまとめてエレキボックス８０と呼ぶこともある。エレキボックス８０は、収納位置Ｌ１において所定のロック機構（図示しない）でロックされることが好ましい。開放位置Ｌ２は典型的には収納位置Ｌ１から９０°〜１８０°であるが、これに限定されない。ロック機構により所定の角度位置または任意の角度位置でロックされるようにしてもよい。
【００４３】
エレキボックス８０は、典型的には、通常の使用状態等において収納位置Ｌ１に変椅され、メンテナンス等で装置本体１０Ａの内部にアクセスする必要がある場合には例えば開放位置Ｌ２まで退避させられる。
【００４４】
図１４はエレキボックス８０の画像形成装置１０の装置本体１０Ａ、典型的には本体フレームへの取る付け状態を示している。この図では、エレキボックス８０は収納位置Ｌ１（図１３）から９０°だけ揺動させた状態で示されている。図１４に示すように、エレキボックス８０はエレキボックスサブユニット４００の一端側で、ピン部材７０１、７０２、受け部材７０３、７０４、７０５、７０６（ヒンジ）により、装置本体１０Ａに取り付けられる。受け部材７０３、７０４は装置本体１０Ａに固定して取り付けられ、他の受け部材７０５、７０６はエレキボックス８０（エレキボックスサブユニット３００）に固定して取り付けられている。ピン部材７０１は受け部材７０３、７０５と係合し、他方のピン部材７０２は他方の受け部材７０４、７０６と係合して、エレキボックス８０を装置本体１０Ａに対して揺動可能に支持する。他の取り付け機構を採用できることはもちろんである。
【００４５】
また破線で模式的に示すように、電源線（ハーネス、ケーブル等種々の態様を採用できる）９０１や信号線（同様にハーネス、ケーブル等種々の態様を採用できる）９０２が軸７０（図１３参照、ピン部材７０１、７０２が形成する回転軸）周囲まで引き回されたのち装置本体Ａの内部に引き回されるようになっている。したがって、電源線９０１や信号線９０２の接続を維持したままで、エレキボックス８０を開くことができ、エレキボックスサブユニット３００、４００に収納した回路ユニット３０、４０を動作させた状態でメンテナンスを行なうことができる。もちろん、回路ユニット３０、４０をディスエーブルしてメンテナンスを行なっても良い。
【００４６】
また、エレキボックスサブユニット３００、４００は種々の態様で結合させることができる。典型的には、今まで説明してきたように、また、図１５、図１６、図１７に詳細に示すように、エレキボックスサブユニット３００、４００を、エレキボックス８０の揺動軸のラジアル方向（図１５の矢印方向）に並べて配置し、ねじ８０１および板金８０２により両者を固定する。補強用のフレームが用いられても良い。通常、エレキボックス８０は、この結合状態で収納位置に収納される。
【００４７】
他方、図１８に示すように、エレキボックスサブユニット３００、４００を鉤形に結合しても良い。このような結合状態では、図１９に示すようにエレキボックス８０全体を小振りに揺動させることができる。この場合、エレキボックス８０の揺動半径は、図２０に示すように、軸７０からＡ点が一番遠くなり、その揺動半径いＡ点半径が小さくなる。エレキボックスサブユニット３００および４００のラジアル方向（矢印方向）の長さをａ，ｂとすると、揺動半径は（ａ２＋ｂ２）１／２となり、通常の状態より短くなる（（ａ＋ｂ）２＞ａ２＋ｂ２＝（（ａ２＋ｂ２）１／２）２）。この結果、スペースがない場所でも、エレキボックス８０を揺動させることができ、メンテナンスが容易となる。とくに、エレキボックス８０は画像形成装置１０の背面側等に設けられるので、画像形成装置１０を移動させずに、あるいは少しだけ移動させるだけで、エレキボックス８０を揺動させて内部部品の点検等を行なえる。
【００４８】
作業者等は、メンテナンス時に必要に応じて、エレキボックス８０を図１５等に示す結合状態から図１８に示す結合状態に結合しなおす。
【００４９】
なお、図１８に示すように鉤形にエレキボックスサブユニット３００、４００を結合した場合でも、図２１に示すように、回路間の信号、電源配線は維持されるので、駆動状態で動作を点検することが可能となる。
【００５０】
なお、鉤形の向きは逆にしても良い。すなわち、図１８において、破線の矢印で示すように、エレキボックスサブユニット３００がエレキボックスサブユニット４００との結合軸を中心にして１８０°回転した位置にあっても良い。また、エレキボックスサブユニット３００とエレキボックスサブユニット４００とが重なるように配置しても良い。またエレキボックスサブユニット３００を水平に配置し、エレキボックスサブユニット４００の上側端または下側端に結合しても良い。その他、エレキボックスの揺動半径が小さくなるような種々の形態を採用できる。
【００５１】
また、図の例では、上下方向の軸を中心に揺動させるようにしたが、水平方向の軸を中心に揺動させるようにしても良い。また、軸の位置も種々変更できる。
【００５２】
なお、図２２および図２３は、エレキボックスサブユニット３００、４００が開放位置（図１３のＬ２）に退避された状態の詳細な具体例（カバーを外している）を参考までに示すものであるが、この発明はこれに限定されるものではない。図２３はエレキボックス８０の一部をきり欠いてその内部を示している。
【００５３】
なお、この発明は上述の実施例に限定されるものではなくその趣旨を逸脱しない範囲で種々変更が可能である。例えば、上述の例では、エレキボックスを２分割したが、より多くのサブユニットに分割しても良い。また、エレキボックスを分割せずに一体としても良い。また、上述の例では、装置本体の背面にエレキボックスを設けたが、側面や前面に設けても良い。また中継基板に代えてフレキシブルプリントケーブルや配線を採用しても良い。
【図面の簡単な説明】
【００５４】
【図１】この発明の実施例の画像形成装置の構成を模式的に説明する図である。
【図２】上述実施例の画像形成装置の内部構成の例を説明する図である。
【図３】上述実施例のエレキボックスサブユニットの内部の例を説明する図である。
【図４】上述実施例のエレキボックスサブユニットに回路ユニットを実装する様子を説明する図である。
【図５】上述のエレキボックスサブユニットに回路ユニットを実装された状態を説明する図である。
【図６】上述のエレキボックスサブユニットにおける電源コネクタの接続例を説明する図である。
【図７】上述実施例のエレキボックスサブユニットにおける回路ユニット間の接続を説明する図である。
【図８】上述実施例のエレキボックスサブユニットにおける回路ユニット間の接続が終了した状態を説明する図である。
【図９】上述実施例のエレキボックスサブユニットにおける基板の実装例を説明する図ある。
【図１０】上述実施例の中継基板により回路ユニットの相違を適合化する例を説明する図である。
【図１１】上述実施例のエレキボックスサブユニットの具体的な外観の例を示す図である。
【図１２】上述実施例のエレキボックスサブユニットの具体的な内部構成の例を示す図である。
【図１３】上述実施例のエレキボックスの揺動態様を説明する図である。
【図１４】上述実施例のエレキボックスの本体への取り付け例を説明する図である。
【図１５】上述実施例のエレキボックスサブユニットの結合例を説明する図である。
【図１６】図１５の結合例の詳細を説明する図である。
【図１７】図１５の結合例の詳細を説明する図である。
【図１８】上述実施例のエレキボックスサブユニットの他の結合例を説明する図である。
【図１９】図１８の結合例で結合したエレキボックスを開放させた状態で示す図である。
【図２０】図１８の結合例におけるエレキボックスの回転半径を説明する図である。
【図２１】図１８の結合例における基板の接続例を説明する図である。
【図２２】エレキボックスを開放した状態でエレキボックス等の具体的な形態を説明する図である。
【図２３】エレキボックスを開放した状態でエレキボックスの内部構成をきり欠いて示す図である。
【符号の説明】
【００５５】
１０      画像形成装置
１０Ａ      装置本体
２０      画像入力部
３０      画像処理回路ユニット
４０      画像出力装置制御回路ユニット
５０      画像出力装置
６０      中継基板
７０      軸
８０      エレキボックス
３００      エレキボックスサブユニット
３００Ａ      基板
３０１、３０１Ａ、３０１Ｂ      コネクタ半体
３０３      電源コネクタ半体
３０４      電源コネクタ半体
３０５      電源コード
３０６      主基板
３０７、３０８      拡張基板
４００      エレキボックスサブユニット
４０１      主基板
４０２      コネクタ半体
６０１      コネクタ半体
７０１、７０２      ピン部材
７０３〜７０６      受け部材
８０１      ねじ
８０２      板金
９０１      電源線
９０２      信号線
【図１】
2006113274.tif 000003
【図４】
2006113274.tif 000004
【図５】
2006113274.tif 000005
【図６】
2006113274.tif 000006
【図１０】
2006113274.tif 000007
【図１３】
2006113274.tif 000008
【図２０】
2006113274.tif 000009
【図２】
2006113274.tif 000010
【図３】
2006113274.tif 000011
【図７】
2006113274.tif 000012
【図８】
2006113274.tif 000013
【図９】
2006113274.tif 000014
【図１１】
2006113274.tif 000015
【図１２】
2006113274.tif 000016
【図１４】
2006113274.tif 000017
【図１５】
2006113274.tif 000018
【図１６】
2006113274.tif 000019
【図１７】
2006113274.tif 000020
【図１８】
2006113274.tif 000021
【図１９】
2006113274.tif 000022
【図２１】
2006113274.tif 000023
【図２２】
2006113274.tif 000024
【図２３】
2006113274.tif 000025